【事件の表示】
　特願２００２−３１４２８９「シングルフェーサの糊付け装置」拒絶査定不服審判事件〔平成１６年　５月２７日出願公開、特開２００４−１４８５８０〕について、次のとおり審決する。
【結　論】
　本件審判の請求は、成り立たない。
【理　由】
１.手続の経緯
　本願は、平成１４年１０月２９日に特許出願したものであって、平成１７年５月２３日付けで拒絶査定がなされ、これに対し、同年６月３０日に拒絶査定に対する審判請求がなされるとともに、同日付けで手続補正がなされたものである。
　
２.平成１７年６月３０日付けの手続補正についての補正却下の決定
［補正却下の決定の結論］
　平成１７年６月３０日付けの手続補正を却下する。
［理由］
(2-1)補正後の本願発明
　本件補正は、特許請求の範囲の請求項１の記載を
「糊槽内の糊を中芯に付着させる糊付けロールと、
　上記糊槽の側壁を構成して上記糊付けロールへの糊の付着幅を規制する糊ダムと、
　上記糊ロールの直近に配置された加熱ロール上において上記中芯を撮像する撮像手段を有し、上記撮像手段による上記中芯の撮像画像から上記中芯の紙端の位置を検出する紙端位置検出手段と、
　上記糊ダムの位置を検出する糊ダム位置検出手段と、
　上記糊ダムを機械幅方向に移動させる移動手段と、
　上記移動手段を制御する制御手段とを備え、
　上記制御手段は、上記紙端位置検出手段により検出された紙端位置と上記糊ダム位置検出手段により検出された糊ダム位置とのずれを演算し、上記ずれを解消する方向に上記移動手段を制御するように構成されたことを特徴とする、シングルフェーサの糊付け装置。」とすることを含むものである。
　
　ここでの補正事項は、
　補正前の「上記糊ロールの直近に配置された加熱ロール上において上記中芯の紙端の位置を撮像装置によって検出する紙端位置検出手段」を
　補正後の「上記糊ロールの直近に配置された加熱ロール上において上記中芯を撮像する撮像手段を有し、上記撮像手段による上記中芯の撮像画像から上記中芯の紙端の位置を検出する紙端位置検出手段」にするものであり、
　これは、請求項１に記載した発明を特定するために必要な事項である「紙端位置検出手段」について、「中芯の紙端の位置を撮像装置によって検出する」を、より具体的な「中芯を撮像する撮像手段を有し、撮像手段による中芯の撮像画像から中芯の紙端の位置を検出する」に限定するものであるので、特許法第１７条の２第４項第２号の特許請求の範囲の減縮を目的にするものに該当する。
　そこで、本件補正後の前記請求項１に記載された発明（以下、「本願補正発明」という。）が特許出願の際独立して特許を受けることができるものであるか（特許法第１７条の２第５項において準用する同法第１２６条第５項の規定に適合するか）について以下に検討する。
　
(2-2)引用例の記載事項
(2-2-1)原査定の拒絶の理由に引用された、本願出願前頒布された特開平７−１００９７６号公報（以下、「引用例１」という。）には、以下の記載がある。
　
(a)「【００１２】【実施例】
　以下、図面に沿って、本発明による糊ダム制御装置の一実施例について説明する。
　図１は本発明による糊ダム制御装置を適用したシングルフェーサ１を示す側面図であり、同図に示すように、中芯Ａはロール２，３、アイドルロール４を経て、プレヒータ５にて加熱され、ロール６を経て、一対の段ロール８，９（上段ロール８、下段ロール９）によって波状に段繰りされる。この段繰りされた中芯Ａの段頂は糊槽１０の糊に一部浸漬された糊付ロール１１によって糊付され、一方から走行しかつプレヒータ１２，１３を介して加熱されたライナＢとプレスロール１５による圧着によって接着される。糊付ロール１１には糊槽面より上位置にあるドクターロール１６が当接し、余分な糊をかき落して糊付ロール１１への糊の付着量を調整している。糊槽１０内にはその内部の糊をせき止める２枚の糊ダム１８，１９が設けられ、該糊ダム１８，１９に跨がって前記糊付ロール１１が回転自在に設置されている。更に、前記プレヒータ５より中芯Ａの搬送方向上流側のシート幅方向の左右にはそれぞれ光電管からなるシート端検出センサ２１，２２が配置されている。」
　
(b)「【００１３】
　また、図２に示すように、シート端検出センサ２１，２２の近くには検出センサ移動用モータ２３，２４が設けられ、該検出センサ移動用モータ２３，２４にはそれぞれシート幅方向に延びたねじ軸２６，２７が連結されている。該ねじ軸２６，２７にはねじ軸の回転に伴って移動する可動部材２８，２９が螺合され、該可動部材２８，２９にはそれぞれ前記シート端検出センサ２１，２２が固定されている。更に、前記検出センサ移動用モータ２３，２４にはそれぞれ検出センサ位置検出パルスジェネレータ３１，３２が連結されている。」
　
(c)「【００１４】
　また、前記糊ダム１８，１９の近くには糊ダム移動用モータ３３，３４が設けられ、該糊ダム移動用モータ３３，３４にはそれぞれシート幅方向に延びたねじ軸３６，３７が連結されている。該ねじ軸３６，３７にはねじ軸の回転に伴って移動する可動部材３８，３９が螺合され、該可動部材３８，３９にはそれぞれ前記糊ダム１８，１９が固定されている。更に、前記糊ダム移動用モータ３３，３４には糊ダム位置検出パルスジェネレータ４１，４２が連結されている。」
　
(d)「【００１５】
　また、前記検出センサ位置検出パルスジェネレータ３１，３２の検出信号はコントローラ４３に入力されて処理され、シーケンサ４５に入力されて処理され、更に前記シート端検出センサ２１，２２からの検出信号はシーケンサ４５に入力されて処理され、シーケンサ４５からそれぞれインバータ４６，４７を介して前記検出センサ移動用モータ２３，２４を駆動してそれぞれシート端検出センサ２１，２２をシート端に移動させると共に、前記糊ダム位置検出パルスジェネレータ４１，４２の検出信号はコントローラ４３に入力されて処理され、シーケンサ４５に入力されて処理され、シーケンサ４５からそれぞれインバータ４９，５０を介して前記糊ダム移動用モータ３３，３４を駆動してそれぞれ糊ダム１８，１９を移動させるように構成されている。更に、コントローラ４３には糊ダムの位置を表示・設定する表示・設定器５１が接続されている。」
　
(e)「【００１６】
　本発明は以上のような構成よりなるので、中芯Ａが走行すると、検出センサ位置検出パルスジェネレータ３１，３２及び糊ダム位置検出パルスジェネレータ４１，４２からのパルス信号がコントローラ４３に入力されて処理され、シーケンサ４５に入力されて処理され、シート端検出センサ２１，２２からの検出信号がシーケンサ４５に入力されて処理され、コントローラ４３及びシーケンサ４５からの指令により、それぞれインバータ４６，４７を介して検出センサ移動用モータ２３，２４を駆動させ、ねじ軸２６，２７が回転し、可動部材２８，２９及びシート端検出センサ２１，２２が移動して、シート端検出センサ２１，２２がシート端の位置まで移動して、シート端が検知される。同時に、シーケンサ４５からの出力により、それぞれインバータ４９，５０を介して糊ダム移動用モータ３３，３４を駆動させ、ねじ軸３６，３７が回転し、可動部材３８，３９及び糊ダム１８，１９を移動させ、常に糊付ロールの糊付着幅とシート幅とが合致するように制御され、表示・設定器５１に糊ダム１８，１９の位置が表示される。更に、表示・設定器５１により予め糊ダム１８，１９の位置を設定することもできる。また、中芯Ａの走行速度を検知して（図示せず）、コントローラ４３及びシーケンサ４５により中芯Ａの走行速度に対応して変動する糊ダム設定幅となるように糊ダムを移動させるよう制御することもできる。」
　
　上記(a)乃至(e)、【図１】および【図２】より、引用例１には、
「糊槽内の糊を中芯に付着させる糊付ロールと、
　上記糊槽内部の糊をせき止めるものであって上記糊付ロールへの糊の付着幅を規制する糊ダムと、
　上記糊付ロールの上流側に配置されたプレヒータと、
　上記プレヒータの上流側に設けられ、上記中芯の端の位置を検出する、光電管を有する手段と、
　上記糊ダムの位置を検出する手段と、
　上記糊ダムを中芯幅方向に移動させる手段と、
　上記移動させる手段を制御するコントローラとを備え、
　上記コントローラは、上記中芯の端の位置を検出する手段により検出された中芯の端の位置と上記糊ダムの位置を検出する手段により検出された糊ダムの位置とが合致するように上記糊ダムを中芯幅方向に移動させる手段を制御するように構成されたことを特徴とする、シングルフェーサの糊付を行う装置。」が開示されている。
　
(2-2-2)原査定の拒絶の理由に引用された、本願出願前頒布された特開平８−２５８１８７号公報（以下、「引用例２」という。）には、以下の記載がある。
　
(f)「【００１１】【実施例】
　以下、本発明の一実施例を図１（ａ）、図１（ｂ）、図２（ａ）、図２（ｂ）に基づいて説明する。
　図において、１７は外周に歯を設けたシングルフェーサの上段ロールで、６は同上段ロール１７に噛み合いプレヒートロール２７によって調質されたウエブとしての芯紙１１を波形状に形成する下段ロールで、２０は糊溜２２内の糊１６に外周の一部が浸漬している糊付ロール１５を介して波形状に形成された芯紙１１の波形の歯部に糊１６を付ける糊付装置で、１９は糊付された芯紙１１とライナ１８とを下段ロール６とで加圧しながら片面段ボールシート１４を形成する加圧ロールである。」
　
(g)「【００１２】
　２ａ，２ｂは、糊付装置２０の糊溜２２の内に配設された糊ダムで、同糊ダム２ａ，２ｂはモータ３で駆動される糊ダム移動用ねじ１２の回転でその間隔が調整されるように同ねじ１２に嵌合されている。
　２１は同糊付ロール１５に接近して設けられ糊付ロール１５と同じ方向に回転するドクタロールで、２６は芯紙１１の幅端を検知する光電管で、同光電管２６は制御装置５に接続している。」
　
(h)「【００１４】
　４は糊ダム移動量検知装置で、糊ダム移動用ねじ１２の端に取り付けられた回転数検知装置（例えばエンコーダ）１３からなり、同検知装置１３も制御装置５に接続しており、同回転数検知装置１３によって得られた回転数Ｎ2 と糊ダム移動用ねじ１２のねじのピッチＰとにより糊ダム２ａ，２ｂの移動量Ｓ＝ＰＮ2 が検知できるようになっている。」
(i)「【００１５】
　このように構成された本実施例によれば、芯紙１１がプレヒートロール２７で調質され、回転する上段ロール１７と下段ロール６の噛み合い部に送りこまれて波形に形成される。そして、芯紙１１は糊付ロール１５によってその波形の頂部に糊が付けられ、その後他方より送りこまれたライナ１８を糊側に重ねて下段ロール６と加圧ロール１９との間に押しつけられた状態で通過させられることにより、ライナ１８と貼り合わされ片面段ボールシート１４が製造される。」
　
(j)「【００１９】
　図３は他の実施例を示すもので、上記実施例の加圧ロール１９で押しつけるロール加圧式に代えて加圧ベルト２３と一対のベルトロール２４，２５からなるベルト加圧式を採用し、またウエブの走行速度は、ライナ１８に直接当接して同ライナ１８の速度検知を行う速度検知装置１′を採用したものであるが、他の構成、作用効果は上記した実施例と同様であり、同一部分には同一符号を付し詳細な説明は省略する。」
　
　上記(f)乃至(j)、【図１】乃至【図３】より、引用例２には、
「糊溜内の糊を芯紙に付着させる糊付ロールと、
　上記糊溜内に配設されて上記糊付ロールへの糊の付着幅を規制する糊ダムと、
　上記糊付ロールの上流側に配置されたプレヒートロールと糊付ロールとの間に設けられ、上記芯紙の端の位置を検出する、光電管を有する手段と、　
　上記糊ダムの位置を検出する手段と、
　上記糊ダムを芯紙幅方向に移動させる手段と、
　上記移動させる手段を制御する手段とを備えた、片面段ボールシートの糊付を行う装置。」が開示されている。
　
(2-3)対比・判断
  本願補正発明と引用例１記載の発明とを対比する。
　
○後者の「糊付ロール」、「糊槽内部の糊をせき止めるものであって」、「プレヒータ」、「糊ダムの位置を検出する手段」、「糊ダムを中芯幅方向に移動させる手段」、「コントローラ」、「糊付を行う装置」は、
　前者の「糊付けロール」、「糊槽の側壁を構成して」、「加熱ロール」、「糊ダムの位置を検出する糊ダム位置検出手段」、「糊ダムを機械幅方向に移動させる移動手段」、「制御手段」、「糊付け装置」のそれぞれに相当している。
　
○後者の「上記糊付ロール（糊付けロール）の上流側に配置されたプレヒータ（加熱ロール）」は、加熱ロールによる加熱処理の直後に糊付けロールによる糊付けを行っていることから、糊付けロールと加熱ロールとは隣接配置されており、これからして、「上記糊付ロール（糊付けロール）の真近に配置されたプレヒータ（加熱ロール）」ということもできるので、
　前者の「上記糊付ロールの真近に配置された加熱ロール」に相当している。
　
○後者の「上記プレヒータ（加熱ロール）の上流側に設けられ、上記中芯の端（紙端）の位置を検出する、光電管を有する手段」は、いい換えると、「上記加熱ロールの上流側に設けられ、上記中芯の紙端の位置を検出する、光電管を有する紙端位置検出手段」であって、これと、
　前者の「加熱ロール上において上記中芯を撮像する撮像手段を有し、上記撮像手段による上記中芯の撮像画像から上記中芯の紙端の位置を検出する紙端位置検出手段」とは、
　「中芯の紙端の位置を検出する紙端位置検出手段」という点で軌を一にしている。
　
○後者の「中芯の端の位置（紙端位置）と糊ダムの位置（糊ダム位置）とが合致するように糊ダムを移動させる手段（移動手段）を制御する」は、これにおける「紙端位置と糊ダム位置とが合致する」自体、両者の位置のずれを解消することであるので、「紙端位置と糊ダム位置とのずれを演算し、上記ずれを解消する方向に移動手段を制御する」を意味していることから、
　前者の「紙端位置と糊ダム位置とのずれを演算し、上記ずれを解消する方向に移動手段を制御する」に相当している。
　
　上記より、両者は、
　「糊槽内の糊を中芯に付着させる糊付けロールと、
　上記糊槽の側壁を構成して上記糊付けロールへの糊の付着幅を規制する糊ダムと、
　上記糊付けロールの直近に配置された加熱ロールと、　
　上記中芯の紙端の位置を検出する紙端位置検出手段と、
　上記糊ダムの位置を検出する糊ダム位置検出手段と、
　上記糊ダムを機械幅方向に移動させる移動手段と、
　上記移動手段を制御する制御手段とを備え、
　上記制御手段は、上記紙端位置検出手段により検出された紙端位置と上記糊ダム位置検出手段により検出された糊ダム位置とのずれを演算し、上記ずれを解消する方向に上記移動手段を制御するように構成されたことを特徴とする、シングルフェーサの糊付け装置。」という点で一致し、以下の点で相違している。
　
　前者では、「糊付けロールと、糊付けロールの直近に配置された加熱ロールと、紙端位置検出手段とを備えたシングルフェーサの糊付け装置」において、「紙端位置検出手段」として、「加熱ロール上において中芯を撮像する撮像手段を有し、撮像手段による中芯の撮像画像から中芯の紙端の位置を検出する紙端位置検出手段」を用いているのに対して、
　後者では、「加熱ロールの上流側に設けられ、中芯の紙端の位置を検出する、光電管を有する紙端位置検出手段」を用いている点。（以下、「相違点」という。）
　
　上記相違点について検討する。
　まず、引用例２記載の発明について整理する。　
　
　上記(2-2-2)より、引用例２には、
「糊溜内の糊を芯紙に付着させる糊付ロールと、
　上記糊付ロールへの糊の付着幅を規制する糊ダムと、
　上記糊付ロールの上流側に配置されたプレヒートロールと糊付ロールとの間に設けられ、上記芯紙の端の位置を検出する、光電管を有する手段と、
　上記糊ダムの位置を検出する手段と、
　上記糊ダムを芯紙幅方向に移動させる手段と、
　上記移動させる手段を制御する手段とを備えた、片面段ボールシートの糊付を行う装置。」が開示されている。
　
○引用例２記載の発明の「糊溜」、「芯紙」、「糊付ロール」、「プレヒートロール」、「糊ダムの位置を検出する手段」、「糊ダムを芯紙幅方向に移動させる手段」、「片面段ボールシートの糊付を行う装置」は、
　本願補正発明の「糊槽」、「中芯」、「糊付けロール」、「加熱ロール」、「糊ダムの位置を検出する糊ダム位置検出手段」、「糊ダムを機械幅方向に移動させる移動手段」、「シングルフェーサの糊付け装置」のそれぞれに相当している。
　
○引用例２記載の発明の「上記糊付ロール（糊付けロール）の上流側に配置されたプレヒートロール（加熱ロール）」は、加熱ロールによる加熱処理の直後に糊付けロールによる糊付けを行っていることから、糊付けロールと加熱ロールとは隣接配置されており、これからして、「上記糊付ロール（糊付けロール）の真近に配置されたプレヒートロール（加熱ロール）」ということもできるので、
　本願補正発明の「上記糊付ロールの真近に配置された加熱ロール」に相当している。
　
○引用例２記載の発明の「上記芯紙（中芯）の端（紙端）の位置を検出する、光電管を有する手段」は、いい換えると、「上記中芯の紙端の位置を検出する、光電管を有する紙端位置検出手段」であって、これと、
　本願補正発明の「加熱ロール上において上記中芯を撮像する撮像手段を有し、上記撮像手段による上記中芯の撮像画像から上記中芯の紙端の位置を検出する紙端位置検出手段」とは、
　「中芯の紙端の位置を検出する紙端位置検出手段」という点で軌を一にしている。
　
　上記より、引用例２には、
「糊槽内の糊を中芯に付着させる糊付けロールと、
　上記糊付けロールへの糊の付着幅を規制する糊ダムと、
　上記糊付けロールの真近に配置された加熱ロールと糊付けロールとの間に設けられ、上記中芯の紙端の位置を検出する紙端位置検出手段と、
　上記糊ダムの位置を検出する糊ダム位置検出手段と、
　上記糊ダムを機械幅方向に移動させる移動手段と、
　上記移動手段を制御する制御手段とを備えた、シングルフェーサの糊付け装置。」が開示されており、これは、
　「糊付けロールと、糊付けロールの直近に配置された加熱ロールと、紙端位置検出手段とを備えたシングルフェーサの糊付け装置」において、「紙端位置検出手段」として、「糊付けロールの直近に設けられた紙端位置検出手段」を用いる、を示しているものと認める。
　
　ここで、引用例１記載の発明と引用例２記載の発明とは、「糊付けロールと、糊付けロールの直近に配置された加熱ロールと、紙端位置検出手段とを備えたシングルフェーサの糊付け装置」という点で軌を一にしていることから、
　引用例１記載の発明の「糊付けロールと、糊付けロールの直近に配置された加熱ロールと、紙端位置検出手段とを備えたシングルフェーサの糊付け装置」において、これと軌を一にする引用例２記載の発明と同様に、「紙端位置検出手段」として、「加熱ロールの上流側に設けられ、中芯の紙端の位置を検出する、光電管を有する紙端位置検出手段」を用いることに代えて、「糊付けロールの直近に配置された紙端位置検手段」を用いることは、当業者であれば普通に行う程度のことであると認める。
　
　さらに、一般に、シート端（紙端）位置検出手段として、「ロール上においてシート（中芯）を撮像する撮像手段を有し、撮像手段によるシート（中芯）の撮像画像からシート（中芯）のシート端（紙端）の位置を検出するシート端（紙端）位置検出手段」を用いること自体、本願出願前周知の事項（例えば、特開平６−２７０２９８号公報、特に【０００７】、【００１０】、【図１】参照）であることから、
　上記で示したように、引用例１記載の発明の「糊付けロールと、糊付けロールの直近に配置された加熱ロールと、紙端位置検出手段とを備えたシングルフェーサの糊付け装置」おいて、「紙端位置検出手段」として、「糊付けロールの直近に設けられた紙端位置検手段」を用いる際に、上記周知のものを用いることで、「糊付けロールの真近に設置された加熱ロール上において中芯を撮像する撮像手段を有し、撮像手段による中芯の撮像画像から中芯の紙端の位置を検出する紙端位置検出手段」を構成する、即ち、該相違点で示した本願補正発明の事項を構成することに格別の困難性があるとはいえない。
　
　したがって、本願補正発明は、引用例１、２記載の発明および本願出願前周知の事項に基づいて当業者が容易に発明をすることができたものである。
　
(2-4)むすび
　以上のとおり、本件補正は、特許法第１７条の２第５項で準用する同法第１２６条第５項の規定に違反するものであり、特許法第１５９条第１項で準用する特許法第５３条第１項の規定により却下されるべきものである。
　
３.本願発明について
　平成１７年６月３０日付けの手続補正は上記のとおり却下されたので、本願の請求項１に係る発明（以下、「本願発明」という。）は、平成１７年４月２２日付け手続補正書の特許請求の範囲の請求項１に記載された以下のとおり特定されるものである。
「糊槽内の糊を中芯に付着させる糊付けロールと、
　上記糊槽の側壁を構成して上記糊付けロールへの糊の付着幅を規制する糊ダムと、
　上記糊ロールの直近に配置された加熱ロール上において上記中芯の紙端の位置を撮像装置によって検出する紙端位置検出手段と、
　上記糊ダムの位置を検出する糊ダム位置検出手段と、
　上記糊ダムを機械幅方向に移動させる移動手段と、
　上記移動手段を制御する制御手段とを備え、
　上記制御手段は、上記紙端位置検出手段により検出された紙端位置と上記糊ダム位置検出手段により検出された糊ダム位置とのずれを演算し、上記ずれを解消する方向に上記移動手段を制御するように構成されたことを特徴とする、シングルフェーサの糊付け装置。」
　
(3-1)引用例の記載事項
　原査定で引用された引用例１、２、および、その記載事項は、上記(2-2)に記載したとおりである。
　
(3-2)対比・判断
　上記(2-1)で示したように、補正事項は、請求項１に記載した発明を特定するために必要な事項である「紙端位置検出手段」について、「中芯の紙端の位置を撮像装置によって検出する」を、より具体的な「中芯を撮像する撮像手段を有し、撮像手段による中芯の撮像画像から中芯の紙端の位置を検出する」に限定するものであることから、本願発明は、本願補正発明を包含している。
　そうすると、本願補正発明が、上記(2-3)で示したように、引用例１、２記載の発明および本願出願前周知の事項に基づいて当業者が容易に発明をすることができたものであることから、本願補正発明を包含する本願発明も同じく、引用例１、２記載の発明および本願出願前周知の事項に基づいて当業者が容易に発明をすることができたものである。
　
(3-3)むすび
　以上のとおり、本願発明は、引用例１、２記載の発明および本願出願前周知の事項に基づいて当業者が容易に発明をすることができたものであるから、特許法第２９条第２項の規定により特許を受けることができない。
　それゆえ、本願は、特許請求の範囲の請求項２、３に係る発明について検討するまでもなく、拒絶すべきものである。
　よって、結論のとおり審決する。